(57)【要約】【課題】隠し情報を有するＩＤカードと、このＩＤカードを収納することによってＩＤカード内の隠し情報が検証機能部に可視化されて表示されて所期の検証ができるようにしたカードケースの提供。【解決手段】隠し情報を有する隠し情報部が設けられていて、その隠し情報を可視化させてその内容を検証するための検証機能部が設けられているカードケース内に収納することによって隠し情報が可視化できるようになっていることを特徴とするＩＤカードと、そのＩＤカードを収納するためのカードケース。【選択図】図１
2011173267.tif 000002
【特許請求の範囲】
【請求項１】
カードケース内に収納して使用するＩＤカードであって、隠し情報が設けられていて、その隠し情報を可視化させてその内容を検証するための検証機能部が設けられているカードケース内に収納することによって隠し情報が可視化できるようになっていることを特徴とするＩＤカード。
【請求項２】
前記隠し情報はＩＤカード毎の固有の情報であることを特徴とする請求項１に記載のＩＤカード。
【請求項３】
前記隠し情報は、カードケース内に所定の位置関係で収納することによって検証機能部に可視化させて表示できるようになっていることを特徴とする請求項１または２に記載のＩＤカード。
【請求項４】
前記隠し情報は、微細画素で構成されていて、カードケース内に収納したときにカードケースのレンズアレイからなる検証機能部に可視化させて表示できるようになっていることを特徴とする請求項１乃至３のいずれかに記載のＩＤカード。
【請求項５】
前記隠し情報は、ＩＣチップ内に記録されていて、カードケース内に収納したときにカードケースのディスプレイからなる検証機能部に可視化させて表示できるようになっていることを特徴とする請求項１乃至３のいずれかに記載のＩＤカード。
【請求項６】
前記隠し情報は、偏光を生じさせる偏光子からなっていて、カードケース内に収納したときに偏光成分の偏光分離効果を有する検証機能部に可視化させて表示できるようになっていることを特徴とする請求項１乃至３のいずれかに記載のＩＤカード。
【請求項７】
ＩＤカードを収納するためのカードケースであって、隠し情報が設けられているＩＤカードを収納することによってその隠し情報を可視化させて表示するための検証機能部が設けられていることを特徴とするカードケース。
【請求項８】
前記検証機能部は、ＩＤカードを所定の位置関係で収納することによってＩＤカード中の隠し情報を可視化させて表示できるようになっていることを特徴とする請求項７に記載のカードケース。
【請求項９】
前記検証機能部は、レンズアレイで構成されていて、ＩＤカード中の微細画像で構成されている隠し情報を可視化させて表示できるようになっていることを特徴とする請求項７または８に記載のカードケース。
【請求項１０】
前記検証機能部は、ディスプレイで構成されていて、ＩＤカード中のＩＣチップ内に記録されている隠し情報を可視化させて表示できるようになっていることを特徴とする請求項７または８に記載のカードケース。
【請求項１１】
前記検証機能部は、偏光成分の偏光分離効果を有していて、ＩＤカードの偏光を生じさせる偏光子からなる隠し情報を可視化させて表示できるようになっていることを特徴とする請求項７または８に記載のカードケース。
【発明の詳細な説明】
【技術分野】
【０００１】
本発明は、隠し情報を有するＩＤカードと、このＩＤカードを収納することによってＩＤカード内の隠し情報に係る可視情報が表示されて所期の検証ができるようにしたカードケースに関する。
【背景技術】
【０００２】
社員証、学生証、保険証、運転免許証等のＩＤカードは、使用者が身に付け、使用者やその所属を証明するための重要な媒体となっている。
【０００３】
これらＩＤカードは、それをカードケースに入れ、身に付けて用いられることが多い。
【０００４】
例えば社員証や入退証等は、成り済まし防止の観点から、携帯時に外部から常に見える様にしておく必要が有り、専用の「紐付きカードケース」に入れ、首から下げて身に付けておくことを義務付けられる場合が多い。
【０００５】
また、ＩＤカード自体には、成り済まし犯罪を防止するために、顔写真や個人データ等の個別情報の記録がなされていると共に、ＩＣチップ、磁気コード、ホログラム等の光学素子、蛍光インキ等のセキュリティーインキ、角度によって色が変化する光学可変インキ等の様々な媒体を利用した偽造防止対策が施されている。
【０００６】
その中で、ＩＣチップ、磁気コード、蛍光インキ等を利用した偽造防止対策は、隠しコードを付与することが出来るために有効ではあるが、専用の検証機が必要であり、何時でも、誰でも真偽の判定ができる訳ではない。
【０００７】
これに対して特許文献１では、液晶の偏光特性を利用した特殊な偽造防止対策が提案されているが、この場合においても、真偽の判定に際しては検証フィルターを別に用意する必要があり、何時でも、誰でも真偽の判定ができるものではない。
【０００８】
また、特許文献２では、ゲーム用のトレーディングカードとカードケースとの組み合わせで万線モアレにより潜像を発生させるようにした技術が提案されている。この様な潜像は、カードに印刷された万線と、カードケースに印刷された万線とを重ね合わせることによって生じるモアレ現象を利用して生じさせるものであり、その内容を確認して真偽の判定が行なえる。しかし、最近の家庭用プリンターはその印刷再現性が著しく向上しているため、家庭用プリンターを利用しても真正品と類似のカード等を容易に複製することができてしまうため、上記したような万線を利用する偽造対策はそのセキュリティー性が低くなってきている。また、印刷精度が低い状態で万線を印刷して上記のようなカードとカードケースが偽造された場合、得られた偽造品においても真正品と略同じように万線モアレによる潜像が得られてしまうため、高いセキュリティー性は望めない。
【先行技術文献】
【特許文献】
【０００９】
【特許文献１】特開２００９−１５３３８号公報
【特許文献２】特開２００６−２５８９９号公報
【発明の概要】
【発明が解決しようとする課題】
【００１０】
本発明は、上述のような従来の問題点を解決課題とするものであり、隠し情報を有する
ＩＤカードと、このＩＤカードを収納することによってＩＤカード内の隠し情報に係る可視画像が検証機能部に表示されて所期の検証が行われるようにしたカードケースを提供することを目的とする。
【課題を解決するための手段】
【００１１】
上記目的を達成するためになされ、請求項１に記載の発明は、カードケース内に収納して使用するＩＤカードであって、隠し情報を有する隠し情報部が設けられていて、その隠し情報を可視化させてその内容を検証するための検証機能部が設けられているカードケース内に収納することによって隠し情報が可視化できるようになっていることを特徴とするＩＤカードである。
【００１２】
また、請求項２に記載の発明は、請求項１に記載のＩＤカードにおいて、前記隠し情報はＩＤカード毎の固有の情報であることを特徴とする。
【００１３】
さらにまた、請求項３に記載の発明は、請求項１または２に記載のＩＤカードにおいて、前記隠し情報は、カードケース内に所定の位置関係で収納することによって検証機能部に可視化させて表示できるようになっていることを特徴とする。
【００１４】
さらにまた、請求項４に記載の発明は、請求項１乃至３のいずれかに記載のＩＤカードにおいて、前記隠し情報は、微細画素で構成されていて、カードケース内に収納したときにカードケースのレンズアレイからなる検証機能部に可視化させて表示できるようになっていることを特徴とする。
【００１５】
さらにまた、請求項５に記載の発明は、請求項１乃至３のいずれかに記載のＩＤカードにおいて、前記隠し情報は、ＩＣチップ内に記録されていて、カードケース内に収納したときにカードケースのディスプレイからなる検証機能部に可視化させて表示できるようになっていることを特徴とする。
【００１６】
さらにまた、請求項６に記載の発明は、請求項１乃至３のいずれかに記載のＩＤカードにおいて、前記隠し情報は、偏光を生じさせる偏光子からなっていて、カードケース内に収納したときに偏光成分の偏光分離効果を有する検証機能部に可視化させて表示できるようになっていることを特徴とする。
【００１７】
さらにまた、請求項７に記載の発明は、ＩＤカードを収納するためのカードケースであって、隠し情報を有する隠し情報部が設けられているＩＤカードを収納することによってその隠し情報を可視化させて表示するための検証機能部が設けられていることを特徴とするカードケースである。
【００１８】
さらにまた、請求項８に記載の発明は、請求項７に記載のカードケースにおいて、前記検証機能部は、ＩＤカードを所定の位置関係で収納することによってＩＤカード中の隠し情報を可視化させて表示できるようになっていることを特徴とする。
【００１９】
さらにまた、請求項９に記載の発明は、請求項７または８に記載のカードケースにおいて、前記検証機能部は、レンズアレイで構成されていて、ＩＤカード中の微細画像で構成されている隠し情報を可視化させて表示できるようになっていることを特徴とする。
【００２０】
さらにまた、請求項１０に記載の発明は、請求項７または８に記載のカードケースにおいて、前記検証機能部は、ディスプレイで構成されていて、ＩＤカード中のＩＣチップ内に記録されている隠し情報を可視化させて表示できるようになっていることを特徴とする。
【００２１】
さらにまた、請求項１１に記載の発明は、請求項７または８に記載のカードケースにおいて、前記検証機能部は、偏光成分の偏光分離効果を有していて、ＩＤカードの偏光を生じさせる偏光子からなる隠し情報を可視化させて表示できるようになっていることを特徴とする。
【発明の効果】
【００２２】
本発明は、隠し情報が設けられていて、その隠し情報を可視化させてその内容を検証するための検証機能部が設けられているカードケース内に収納することによって検証機能部に隠し情報を可視化させて表示できるようになっているＩＤカードと、隠し情報が設けられているＩＤカードを収納することによってその隠し情報を可視化させて表示するための検証機能部が設けられているカードケースであって、カードケースにＩＤカードを収納することによって、隠し情報に係る可視画像を検証機能部に表示できることから、検証機を別に用意することなく、何時でも、誰でも真偽の判定ができるようになる。
【００２３】
また、ＩＤカードをカードケース内に収納しておくことにより、隠し情報に係る可視画像を常に表示しておくことができるため、例えば、顔写真を隠し情報として有する社員証として利用し、さらにそれを紐付きカードケースに入れて常に身に付けて使用すれば、社員以外の者の不正な入場を、表示されている顔写真により検証することができるようになる。
【００２４】
さらに、全てのカードケースをその仕様が同じになるように設計しておくことにより、他者が所有しているＩＤカードの検証を自分が保持するカードケースで行なうことも可能となる。
さらにまた、隠し情報を不正に複製したり、ＩＤカードを偽造するためには、ＩＤカードとカードケースとを不正に入手し、それを元に隠し情報の内容を確認したり、偽造防止策の内容を確認する必要があるため、偽造防止策がＩＤカードのみに施してあるものに較べ、偽造がより困難となる。
【図面の簡単な説明】
【００２５】
【図１】本発明のＩＤカードと、このＩＤカードを収納するための本発明のカードケースの概略の斜視状態を示す説明図である。
【図２】本発明のＩＤカードを本発明のカードケース内に収納したときの状態を示す説明図である。
【発明を実施するための形態】
【００２６】
以下、本発明のＩＤカード、及びカードケースの実施形態を、図面を参照して説明する。
【００２７】
本発明のＩＤカード１は、カードケース２内に収納して使用するＩＤカード１であって、隠し情報が設けられていて、検証機能部４が設けられているカードケース２内に収納することによって、その隠し情報に係る可視画像３が検証機能部４に表示できるようになっている。図１に示すように、本発明のＩＤカード１は、カードケース２に所定の位置関係で収納されていない場合には、隠し情報の内容が確認できないようになっている。
【００２８】
一方、本発明のカードケース２は、図１や図２に示すように、ＩＤカード１を収納するためのカードケース２であって、隠し情報が設けられているＩＤカード１を収納することによって隠し情報に係る可視画像３を表示するための検証機能部４が設けられている。
【００２９】
そして、このような構成のＩＤカード１とカードケース２は、ＩＤカード１をカードケ
ース２内に所定の位置関係で収納すると、カードケース２の検証機能部４に隠し情報に係る可視画像３が表示されるので（図２参照）、特定の検証機を用意することなく、何時でも、誰でもが所定の検証を行うことが可能となる。
【００３０】
以下、本発明のＩＤカード１とカードケース２を構成する重要な要素である隠し情報と検証機能部４について詳しく説明する。
【００３１】
カードケース２に設けられている検証機能部４は、カードケース２内にＩＤカード１を収納した際に、電気、磁気、電磁波、熱、振動および物理衝撃の何れか一つ以上の作用によってＩＤカードの隠し情報が可視化され、その可視画像３が表示される機能を有する部分である。
【００３２】
以下に、隠し情報と検証機能部の具体的な例を説明する。
【００３３】
＜微細画素で構成される隠し情報とレンズアレイからなる検証機能部の例＞
まず、非常に微細なマイクロ文字、ナノ文字等の微細画素で構成した隠し情報と、これを拡大して可視化させて表示させ、検証できるようにしたレンズアレイからなる検証機能部との組み合わせ例を挙げることができる。この場合、隠し情報が設けられている部分と検証機能部の少なくとも一部が、ＩＤカードをカードケースに収納した時に重なるように配置させて設ければよい。
【００３４】
また、別の例としては、微細画素からなり、左右の目に対して視差画像を与えるようにした隠し情報と、これを立体的な像として錯覚して観察できるようにしたレンズアレイからなる検証機能部との組み合わせを挙げることもできる。
この場合も上述の構成例と同様に、ＩＤカードをカードケースに収納した時に、隠し情報が設けられている部分と検証機能部の少なくとも一部が重なるように配置させて設ければよい。
【００３５】
また、さらに別の例としては、同一微細画素によって周期性を有するようにして設けた隠し情報と、レンズアレイからなり、そのレンズアレイ周期を隠し情報の画素周期と極僅かに変化させて構成してある検証機能部との組み合わせ例を挙げることもできる。
これによって、画素の拡大統合効果と左右の目に対する視差画像が得られるようになり、検証機能部において奥行き感の有る立体像が視点の違いにより動くようにして視認できるようになる。
【００３６】
この様な立体感の錯視効果は、マイクロレンズアレイやレンチキュラーレンズ等の集光要素の連続集合体や、プリズム等の屈折要素の連続集合体を利用してなる検証機能部をカードケースに設けておくと共に、ＩＤカード側の表面には１ｍｍ以下程度の微細画素で構成される隠し情報を設けておき、カードケースにＩＤカードを収納することによって得ることができる。
【００３７】
＜ＩＣチップに記録されている隠し情報とディスプレイからなる検証機能部の例＞
ＩＤカード内に格納されているＩＣチップ中の隠し情報と、ディスプレイからなる検証記録部の組み合わせ例を挙げることができる。
これによって、隠し情報が記録されているＩＣチップを有するＩＤカードをカードケースに収納することにより、ＩＣチップに記録されている隠し情報を元に、カードケースの検証機能部を構成するディスプレイにその可視化情報が表示されるようになる。
表示される可視化情報としては、例えば顔写真や氏名等の固有情報である。なお、ディスプレイとは発光、発色、消色、変色により隠し情報に係る可視画像を表示するための画像表示部を指す。
【００３８】
＜偏光を生じさせる光学素子からなる隠し情報と偏光子からなる検証機能部の例＞
さらに、偏光を生じさせる光学素子により設けられている隠し情報と、偏光成分の片方を選択的に吸収、反射、散乱、透過させることにより、特定の偏光成分を分離する偏光分離効果を有する偏光子からなる検証機能部の組み合わせを挙げることができる。
【００３９】
ＩＤカードとカードケースにこのような隠し情報や検証機能部が設けられていると、カードケースにＩＤカードを収納すると、隠し情報と検証機能部の少なくとも一部が重なり、特定偏光の透過、不透過、吸収、散乱により、隠し情報に係る可視画像を検証機能部に表示させることが可能となる。
【００４０】
なお、本発明における偏光とは、電磁波の直線偏波、楕円偏波、円偏波を指す。また、本発明の偏光子とは、偏光成分の片方を選択的に吸収、反射、散乱、透過させることにより、観察環境における光源から、特定の偏光成分を分離する効果を有するものを指す。
【００４１】
以上、本発明のＩＤカードとカードケースに設けられる隠し情報と検証機能部の具体例を詳細に説明したが、偽造防止効果を更に向上させるために、ＩＣチップ、磁気コード、ホログラム等の光学素子、蛍光インキ等のセキュリティーインキ、角度によって色が変化する光学可変インキ等を用いた既存の偽造防止対策を合わせて講じるようにしておいてもよい。
以下に、実施例について述べる。
【実施例１】
【００４２】
＜カードケースの作成＞
レンズピッチ０．５ｍｍ、レンズ曲率半径１．５ｍｍのレンチキュラーレンズを備え、下記ＩＤカードを収納した際に、ＩＤカード表面の隠し情報の部分にレンズの焦点が合うように設計した検証機能部を有するカードケースを作成した。
【００４３】
＜ＩＤカードの作成＞
ポリカーボネート製カード基材の一方の面にカード固有番号、名前等を印刷し、さらに隠し情報を設けた。隠し情報は、前記したカードケース内に収納してカードケースの検証機能部を重ね合わせた際に、レンチキュラーレンズ越しに顔写真の立体画像の錯視が得られるように設けたものであって、レンチキュラーレンズ越しに５０ミクロンの微細画素をレーザーエングレービングすることにより形成した。隠し情報はその構成画素が非常に微細であり、カードケースに収納されていない状態ではその内容が確認不可能であった。
【００４４】
＜隠し情報の効果＞
上記の様にして作成したＩＤカードは、単体では、その中の隠し情報の内容が確認できないが、それをカードケースに収納すると、隠し情報に係る可視画像、即ち顔写真の立体像が検証機能部に表示され、その内容が確認できた。
【産業上の利用可能性】
【００４５】
本発明は、隠し情報が設けられているＩＤカード、及びこのＩＤカードを収納するためのカードケースであって、ＩＤカードをカードケースに収納するだけで隠し情報に係る可視画像が検証機能部において表示され、その表示を元に所期の検証が可能であることから、検証機を別に用意する必要が無い。
また、隠し情報は、ＩＤカードおよびこれを収納するカードケースとの組み合わせによって初めてその内容を表示し、確認できるものであることから、ＩＤカードに対してのみに施されている偽造防止対策に係る効果に比べ、より高い偽造防止効果があり、他人のＩＤカードを利用した「成り済まし犯罪」を防止することが可能であり、社員証、公的機関の入退証等のセキュリティー要求の高いＩＤカード、及びそのＩＤカードを収納するためのカードケースとしてその実用的価値が多いに期待できる。
【符号の説明】
【００４６】
１・・・ＩＤカード
２・・・カードケース
３・・・隠し情報に係る可視画像
４・・・検証機能部
【図１】
2011173267.tif 000003
【図２】
2011173267.tif 000004